(57)【要約】【課題】従来の電気掃除機においては、吸口空間内に放出された大部分のマイナスイオンが電動送風機からの吸込気流により、被掃除面に到達する前に吸込まれてしまうので、被掃除面の塵埃とマイナスイオンとを十分に結合させることができなかった。【解決手段】回転ブラシの一部と吸口の一部との摩擦により静電気を発生させ、発生した静電気を回転ブラシが前記吸口内に設けられた放電ブラシを叩くことでマイナスイオンを気中放電し、吸口に還流された電動送風機の排気風を前記放電ブラシ部に吹き付けるようにした。【選択図】図１
2004216000.tif 000002
【特許請求の範囲】
【請求項１】
電動送風機から排出する排気を吸口内に還流させる電気掃除機において、回転ブラシの一部と吸口の一部との摩擦により静電気を発生させ、発生した静電気を回転ブラシが前記吸口内に設けられた放電ブラシを叩くことでマイナスイオンを気中放電し、前記吸口に還流された前記電動送風機の排気風を前記放電ブラシ部に吹き付けるようにしたことを特徴とする電気掃除機。
【請求項２】
請求項１において、吸口に還流された排気風を回転ブラシの回転駆動部に吹き付ける構造を設けたことを特徴とする電気掃除機。
【発明の詳細な説明】
【０００１】
【発明の属する技術分野】
本発明は、電気掃除機に関するものである。
【０００２】
【従来の技術】
従来の電気掃除機は、非特許文献１に開示されているように、吸込式電気掃除機において吸口内に内蔵したフッ素樹脂製の部材と回転ブラシとを接触させることにより、吸口空間内にマイナスイオンを放出させ、被掃除面の塵埃をマイナスイオンと結合させ、ブラスに帯電した回転ブラシに引き寄せて塵埃を掻き上げ易くするようにした技術が提案されている。
【０００３】
【非特許文献１】
松下電器産業株式会社  ２００２年４月１８日発行ニュースリリース
【０００４】
【発明が解決しようとする課題】
しかしながら、上記非特許文献１に開示された技術においては、吸口空間内に放出された大部分のマイナスイオンが電動送風機からの吸込気流により、被掃除面に到達する前に吸込まれてしまうので、被掃除面の塵埃とマイナスイオンとを十分に結合させることができなかった。
【０００５】
そこで、本発明の目的は上記課題を解決し、マイナスイオンによる被掃除面からの塵埃掻き上げ性能の向上を図った電気掃除機を提供することにある。
【０００６】
これらの問題を解決する手段として、放電用ブラシ８０４近傍に排気出口を設けることにより排気風を利用してマイナスイオンを被掃除面に到達させることができ、被掃除面８０５の帯電を中和し、塵埃を吸込み易くなる。
【０００７】
【課題を解決するための手段】
上記目的を達成するために本発明の特徴とするところは、電動送風機から排出する排気を吸口内に還流させる電気掃除機において、回転ブラシの一部と吸口の一部との摩擦により静電気を発生させ、発生した静電気を回転ブラシが前記吸口内に設けられた放電ブラシを叩くことでマイナスイオンを気中放電し、前記吸口に還流された前記電動送風機の排気風を前記放電ブラシ部に吹き付けるようにしたことにある。
【０００８】
【発明の実施の形態】
以下、本発明の実施形態を図１と図２を用いて説明する。掃除機本体１０１の上方にはダストカップ１０２、下方には吸口１０３を備え、ダストカップ１０２は伸縮ホース１０４と接続されている。
【０００９】
ダストカップ１０２は塵埃の溜まり具合が分かるように透明材料にて形成されており、塵埃が溜まった時・吸込みが弱くなった時にはプッシュクランプ１０５を押しながら取り外し洗浄することができる。また掃除機本体には、塵埃が溜まった場合に動作し、電動送風機１０６の発熱を防止するためにバイパスバルブ（図示せず）を設けている。
【００１０】
掃除機本体には掃除の際に使用するハンドル１０７が接続されており、ハンドルストッパー１０８のロックを解除することで、図１の如く折りたためる様に回動部を設けてあり、収納スペースを小さくすることができる。またハンドル１０７の上部には掃除機の運転および停止を制御するスイッチ１０９を設けている。
【００１１】
また、掃除機本体の持ち運びに使用する本体ハンドル１１０は掃除機本体１０１と別体で設けており、掃除機本体１０１に収納できるように設けている。
【００１２】
図３は掃除機運転時の吸気と排気の流れを示している。電動送風機１０６からの吸気流は、吸口１０３から塵埃と共に吸込まれ、継ぎ手Ｌ１１１，継ぎ手Ｕ１１２を通り伸縮ホース１０４を介してダストカップ１０２に入る。ダストカップ上部室１１３（サイクロン室）にて塵埃と空気に回転分離されダストカップ下部室１１４に圧縮される。一方、電動送風機１０６からの排気流は、吸口排気口１１５と本体排気口１１６に分岐される。本体排気口１１６に向う排気流の一部はコードリール室１１７に入り電源コード１１８を冷却する。また、吸口排気口１１５に向う排気流は継ぎ手Ｕ１１２、継ぎ手Ｌ１１１を通り、吸口排気口１１５から吸口内部に排出される。
【００１３】
図４は吸口中央断面図であり、前記継ぎ手Ｌ１１１は下ケース４０１、上ケース４０２にて挟まれて、回動可能となっている。下ケース４０１と上ケース４０２の間にはインナーケース４０３が設置されており、排気流路４０４を形成すると共に放電ブラシ４０５を挟み込んで固定している。４０６は塵埃の掻き揚げおよび掃除面の乾拭き等を行う回転ブラシであり、アルミニウム等の金属で形成した溝にやわらかい刷毛と硬い刷毛を交互に配置している。また、前記回転ブラシには回転接触により静電気を発生させるための静電ブラシ４０７が左右両端に設けられており、吸口接触面４０８に回転接触させることで、静電気を発生させる構造となっている。また静電ブラシ４０７は、静電気発生と同時に吸口接触面４０８と反対側に設置されている放電ブラシ４０５を叩くことで、マイナスイオンが気中放電される。吸口の左右両端に前記放電ブラシ４０５を設けることで、吸口１０３の開口部全体にマイナスイオンを散らすことができる。
【００１４】
また、吸口排気口１１５を放電ブラシ４０５近傍に構成することで、排気流を生かし被掃除面にまでマイナスイオンが届く構造となっている。
【００１５】
図５は吸口底面図であり、回転ブラシ４０６の左右両側には、回転ブラシ４０６を駆動するためのブレード５０１が設置されている。
【００１６】
前記吸口排気口１１５をブレード５０１に当たる位置にすることで、吸気流と排気流の両方で回転ブラシ４０６を駆動することができ、ブラシの回転数を増加することができる。
継ぎ手Ｕ１１２は継ぎ手Ｌ１１１の軸Ａ５０２に対し回動できる構造となっている。
図６は継ぎ手Ｌ１１１の断面図であり、図７は図６のＡ−Ａ断面図である。図６及び図７において、掃除機本体からの排気が流れるための排気流路６０１が形成されており、軸Ｂ６０２の回動及び軸Ａ５０２の回動した場合でも、一定の排気が吸口内部に導入できるように排気流路６０１が形成されている。また吸口内部に導入された排気は吸口排気口１１５から放電ブラシ４０５に吹き付けることでマイナスイオンを被掃除面に吹き付けることができるようになっている、また、排気風をブレード５０１に吹き付けることで回転ブラシ４０６の回転駆動力に使用できる構造になっている。
【００１７】
吸口１０３は掃除機本体１０１と取り外し可能で、継ぎ手Ｕ１１２の先端はテーパ状になっており掃除機本体１０１から吸口１０３を取り外して伸縮ホース１０４の先端のテーパに勘合できる構造となっている。
【００１８】
伸縮ホース１０４先端のテーパ部には、図示しないが隙間吸口、伸縮隙間吸口、延長ホース、延長管、等の各種吸口および付属品と接続できる。このような付属品を使用することで、掃除面を床面以外に広げることができ多様な掃除を行うことができる。
【００１９】
通常の使用状態においては図２に示すように伸縮ホース１０４先端を掃除機本体１０１に接続する。
【００２０】
このように掃除機本体１０１および吸口１０３を構成すると、電気掃除機を掃除面に置いて本体を前後に回動した場合、継ぎ手Ｌ１１１，継ぎ手Ｕ１１２が回動しても排気通路が塞がれることがなく、回転ブラシ４０６の安定した回転駆動力を得ることができ、掃除に優れた掃除機を提供することができる。
また、前述したように被掃除面の塵埃を吸込み易くする必要がある。
【００２１】
本実施形態では吸口内部に排気口を設け回転ブラシの一部と吸口の一部との摩擦により静電気を発生させ、発生した静電気を回転ブラシが放電ブラシを叩くことでマイナスイオンを気中放電する構造としたことで被掃除面を中和し塵埃を吸込むことができ掃除に優れた掃除機を提供することができる。
【００２２】
【発明の効果】
以上説明したように本発明によれば、電動送風機から排出する排気を吸口内に還流させる電気掃除機において、回転ブラシの一部と吸口の一部との摩擦により静電気を発生させ、発生した静電気を回転ブラシが前記吸口内に設けられた放電ブラシを叩くことでマイナスイオンを気中放電し、前記吸口に還流された前記電動送風機の排気風を前記放電ブラシ部に吹き付けるようにしたので、吸口内に放電されたマイナスイオンが直ちに電動送風機の吸込気流により吸込まれることなく、被掃除面を中和し塵埃をより良く吸込み易い使い勝手の良い電気掃除機を提供することにある。
【図面の簡単な説明】
【図１】本発明の実施形態にかかる電気掃除機の断面図である。
【図２】本発明の実施形態にかかる電気掃除機の外観側面図である。
【図３】本発明の実施形態にかかる電気掃除機の断面図である。
【図４】本発明の実施形態にかかる吸口の断面図である。
【図５】本発明の実施形態にかかる吸口の底面図である。
【図６】本発明の実施形態にかかる継ぎ手Ｌ断面図である。
【図７】本発明の実施形態にかかる継ぎ手ＬのＡ−Ａ断面図である。
【符号の説明】
１０１…掃除機本体、１０２…ダストカップ、１０３…吸口、１０４…伸縮ホース、１０５…プッシュクランプ、１０６…電動送風機、１０７…ハンドル、１０８…ハンドルストッパー、１０９…スイッチ、１１０…本体ハンドル、１１１…継ぎ手Ｌ、１１２…継ぎ手Ｕ、１１３…ダストカップ上部室、１１４…ダストカップ下部室、１１５…吸口排気口、１１６…本体排気口、１１７…コードリール室、１１８…電源コード、４０１…下ケース、４０２…上ケース、４０３…インナーケース、４０４…排気流路、４０５…放電ブラシ、４０６…回転ブラシ、４０７…静電ブラシ、４０８…吸口接触面、５０１…ブレード、８０１…回転ブラシ、８０２…静電ブラシ、８０３…吸口接触面、８０４…放電ブラシ、８０５…被掃除面。
【図１】
2004216000.tif 000003
【図２】
2004216000.tif 000004
【図３】
2004216000.tif 000005
【図４】
2004216000.tif 000006
【図５】
2004216000.tif 000007
【図６】
2004216000.tif 000008
【図７】
2004216000.tif 000009